(57)【要約】【課題】ソケットの小型化を図りつつ、導電線とピン端子との絶縁距離を確保する。【解決手段】端子部３０には、ケーブル挿入口３３とピン挿入口３４とが形成される。ピン挿入口３４は、ケーブル挿入口３３と交差する方向に開口している。端子部３０の内部には、第１空間３５と第２空間３６とが形成される。第１空間３５は、ケーブル挿入口３３に連通し、第２空間３６は、ピン端子１３に連通している。ピン端子１３の軸方向から見て、第１空間３５の一部が第２空間３６と重なり合っており、第１空間３５と第２空間３６とは、絶縁壁部３７で仕切られている。【選択図】図８
2020136210.tif 000002
【特許請求の範囲】
【請求項１】
光源ユニットを着脱可能に取り付けるためのソケットであって、
前記光源ユニットのピン端子と導電線とを電気的に接続する導電部材と、
前記導電部材が収納された端子部とを備え、
前記端子部には、前記導電線を挿入する導電線挿入口と、該導電線挿入口と交差する方向から前記ピン端子を挿入するピン挿入口とが形成され、
前記端子部の内部には、前記導電線挿入口に連通して前記導電線の先端部が収納される第１空間と、前記ピン挿入口に連通して前記ピン端子の先端部が収納される第２空間とが設けられ、
前記第１空間の少なくとも一部は、前記ピン端子の軸方向から見て前記第２空間と重なり合っており、
前記第１空間と前記第２空間との間には、絶縁壁部が設けられているソケット。
【請求項２】
請求項１において、
径方向の中央位置に中央開口が形成されたフランジ部を備え、
前記端子部は、前記中央開口を挟んで前記フランジ部に一対設けられ、
前記端子部における径方向外側の角部には、段差状に窪んだ段差部が設けられているソケット。
【請求項３】
請求項１又は２に記載のソケットと、
前記ソケットに着脱可能に取り付けられた光源ユニットとを備えた照明器具。
【請求項４】
請求項３において、
前記ソケットに取り付けられた前記光源ユニットを収納する器具筐体と、
前記器具筐体の内部で前記光源ユニットを回転可能に支持する回転支持部材とを備えた照明器具。
【発明の詳細な説明】
【技術分野】
【０００１】
本発明は、ソケット及び照明器具に関するものである。
【背景技術】
【０００２】
特許文献１には、導電線（リード線）をホルダの係入口から挿入してバネ接点に接続する一方、ランプのピン端子（口金ピン）をソケットの挿入孔に挿入してバネ接点に接続することで、導電線とピン端子とを電気的に導通させるようにした照明装置が開示されている。
【先行技術文献】
【特許文献】
【０００３】
【特許文献１】特開２０１１−７０９０１号公報
【発明の概要】
【発明が解決しようとする課題】
【０００４】
ところで、近年、ソケットの小型化の要望が高まっているが、ソケットの外径を単純に小さくするだけでは、導電線とピン端子との絶縁距離を十分に確保できなくなるという問題がある。
【０００５】
具体的に、特許文献１に発明において、ソケットの外径を小さくしたときに、ホルダの係入口が突出しないように、係入口の奥行方向の長さを短くすることが考えられる。しかしながら、この場合には、係入口に挿入されている導電線の被覆部の長さが短くなってしまい、絶縁性が悪くなる。
【０００６】
そこで、係入口の奥行方向の長さを維持しつつ、ホルダ全体の長さを短くすることが考えられる。しかしながら、この場合には、導電線の先端部がピン端子に接近してしまうので、絶縁距離を十分に確保できなくなる。
【０００７】
本発明は、かかる点に鑑みてなされたものであり、その目的は、ソケットの小型化を図りつつ、導電線とピン端子との絶縁距離を確保できるようにすることにある。
【課題を解決するための手段】
【０００８】
本発明は、光源ユニットを着脱可能に取り付けるためのソケットを対象とし、次のような解決手段を講じた。
【０００９】
すなわち、第１の発明は、前記光源ユニットのピン端子と導電線とを電気的に接続する導電部材と、前記導電部材が収納された端子部とを備え、前記端子部には、前記導電線を挿入する導電線挿入口と、該導電線挿入口と交差する方向から前記ピン端子を挿入するピン挿入口とが形成され、前記端子部の内部には、前記導電線挿入口に連通して前記導電線の先端部が収納される第１空間と、前記ピン挿入口に連通して前記ピン端子の先端部が収納される第２空間とが設けられ、前記第１空間の少なくとも一部は、前記ピン端子の軸方向から見て前記第２空間と重なり合っており、前記第１空間と前記第２空間との間には、絶縁壁部が設けられている。
【００１０】
第１の発明では、端子部には、導電線挿入口とピン挿入口とが形成される。ピン挿入口は、導電線挿入口と交差する方向に開口している。端子部の内部には、第１空間と第２空間とが形成される。第１空間は、導電線挿入口に連通し、第２空間は、ピン端子に連通している。ピン端子の軸方向から見て、第１空間の少なくとも一部が第２空間と重なり合っており、第１空間と第２空間とは、絶縁壁部で仕切られている。
【００１１】
このように、導電線を収納する第１空間と、ピン端子を収納する第２空間とを、端子部の内部でピン端子の軸方向に並べて配置するようにしている。これにより、ソケットの径方向の外径を小さくしても、導電線とピン端子とがピン端子の軸方向に離れて交差するだけなので、互いに接触することがない。
【００１２】
また、第１空間と第２空間との間に絶縁壁部が設けられているので、導電線とピン端子との絶縁距離を十分に確保することができる。
【００１３】
第２の発明は、第１の発明において、径方向の中央位置に中央開口が形成されたフランジ部を備え、前記端子部は、前記中央開口を挟んで前記フランジ部に一対設けられ、前記端子部における径方向外側の角部には、段差状に窪んだ段差部が設けられている。
【００１４】
第２の発明では、端子部における径方向外側に角部に段差部を設けたから、例えば、光源ユニットを取り付けたソケットを、器具筐体の内部で回転させたときに、端子部の角部が器具筐体に干渉するのを抑えることができる。これにより、ソケットの回転可能な角度範囲が大きくなり、光源ユニットの光の照射方向の調整幅を広げることができる。
【００１５】
第３の発明は、第１又は第２の発明に記載のソケットと、前記ソケットに着脱可能に取り付けられた光源ユニットとを備えた照明器具である。
【００１６】
第３の発明では、第１又は第２の発明に記載のソケットに、光源ユニットを着脱可能に取り付けることで、照明器具を構成するようにしている。
【００１７】
第４の発明は、第３の発明において、前記ソケットに取り付けられた前記光源ユニットを収納する器具筐体と、前記器具筐体の内部で前記光源ユニットを回転可能に支持する回転支持部材とを備えている。
【００１８】
第４の発明では、器具本体の内部に光源ユニットを収納して、器具筐体の内部で光源ユニットを回転可能に支持することで、光源ユニットの光の照射方向を調整することができる。
【発明の効果】
【００１９】
本発明によれば、ソケットの小型化を図りつつ、導電線をピン端子との絶縁距離を確保することができる。
【図面の簡単な説明】
【００２０】
【図１】本実施形態に係る照明器具の構成を示す側面図である。
【図２】端子部側から見たソケットの構成を示す平面図である。
【図３】端子部の蓋体を取り外したときのソケットの構成を示す平面図である。
【図４】光源ユニットの装着面側から見たソケットの構成を示す平面図である。
【図５】光源ユニットをソケットに取り付ける状態を示す側面図である。
【図６】照明器具を回転支持アームの回転軸側から見たときの図である。
【図７】光源ユニットを回転させた状態を示す図６相当図である。
【図８】端子部の内部構成を示す側面断面図である。
【発明を実施するための形態】
【００２１】
以下、本発明の実施形態を図面に基づいて説明する。なお、以下の好ましい実施形態の説明は、本質的に例示に過ぎず、本発明、その適用物或いはその用途を制限することを意図するものではない。
【００２２】
図１に示すように、照明器具１０は、例えば、住宅等の天井に埋込配設され、下方に向けて光を照射する。照明器具１０は、取付板１に取り付けられている。取付板１には、端子台２が設けられている。照明器具１０は、器具筐体１１と、光源ユニット１２と、ソケット２０とを備えている。
【００２３】
器具筐体１１は、下方が開口する有底筒状の部材で構成されている。器具筐体１１は、光源ユニット１２が取り付けられる取付台であるとともに、光源ユニット１２で発生する熱を放熱するヒートシンクとしても機能する。器具筐体１１は、例えば、アルミニウムのような熱伝導率の高い材質で構成されている。器具筐体１１の上部には、複数の放熱フィン（図示省略）が設けられている。
【００２４】
光源ユニット１２は、発光モジュールとして、例えば、ＬＥＤ（Light Emitting Diode）を有する。光源ユニット１２は、回転支持部材１５を介して器具筐体１１の内部に支持されている。回転支持部材１５は、光源ユニット１２及びソケット２０を保持する保持部材１６と、保持部材１６を回転可能に支持する回転支持アーム１７とを有する。これにより、光源ユニット１２を任意の姿勢に回転させ、光の照射方向を調整することができる。
【００２５】
光源ユニット１２は、例えば、ＧＸ５３という口金を有するランプで構成されている。光源ユニット１２は、ソケット２０に着脱可能に取り付けられている。ソケット２０には、導電線としての電源ケーブル１８（図２参照）を介して外部の商用電力が入力される。ソケット２０に入力された電力は、光源ユニット１２に供給される。
【００２６】
図２に示すように、ソケット２０は、フランジ部２１と、端子部３０と、スペーサ部２５とを有する。
【００２７】
フランジ部２１は、平板状の部材で構成されている。フランジ部２１の径方向の中央位置には、中央開口２２が形成されている。フランジ部２１における中央開口２２の周縁部には、筒状部２３が立設している。
【００２８】
フランジ部２１における筒状部２３が立設する側の面には、一対の端子部３０が設けられている。一対の端子部３０は、中央開口２２を挟んで図２で左右に配置されている。端子部３０は、フランジ部２１から立設する周壁部３１（図３参照）と、周壁部３１の立設側の開口を覆う蓋体３２とを有する。周壁部３１及び蓋体３２によって、端子部３０の内部に収納空間が区画されている。
【００２９】
端子部３０には、電源ケーブル１８を挿入する筒状のケーブル挿入口３３（導電線挿入口）が設けられている。ケーブル挿入口３３は、端子部３０における厚み方向に直交する方向の一端側（図２では上端側）の周壁部３１にそれぞれ開口している。
【００３０】
図３に示すように、端子部３０の内部には、速結端子４０（導電部材）と、板バネ部材４５とが収納されている。端子部３０におけるフランジ部２１側の面には、長孔状のピン挿入口３４が形成されている。ピン挿入口３４は、端子部３０の内部に連通している。ピン挿入口３４には、光源ユニット１２のピン端子１３が挿入される。
【００３１】
速結端子４０は、バネ部４１と、接点部４２と、導電部４３とを有する（図８も参照）。速結端子４０のバネ部４１、接点部４２、導電部４３は、１枚の導電板を折り曲げることで一体に形成されている。バネ部４１は、鎖錠バネで構成されている。電源ケーブル１８は、速結端子４０のバネ部４１に挟み込まれることで、速結端子４０に電気的に接続されている。
【００３２】
図３で左側の速結端子４０の導電部４３は、ピン挿入口３４を覆うように延びている。そして、左側の速結端子４０の接点部４２は、ピン挿入口３４の下側端部に配置されている。
【００３３】
図３で右側の速結端子４０の導電部４３は、ピン挿入口３４の上側端部まで延びている。そして、右側の速結端子４０の接点部４２は、ピン挿入口３４の上側端部に配置されている。
【００３４】
板バネ部材４５は、ピン挿入口３４の長手方向（図３で上下方向）に沿って延びている。板バネ部材４５は、ピン挿入口３４に向かって突出するように折り曲げられた屈曲部４６を有する。ピン端子１３は、速結端子４０の接点部４２と板バネ部材４５の屈曲部４６との間に挟み込まれる。
【００３５】
スペーサ部２５は、一対の端子部３０の長手方向の両端部にそれぞれ配置されている。スペーサ部２５は、図示しない締結ネジ（図示省略）によって、回転支持部材１５の保持部材１６（図１参照）に締結固定される。
【００３６】
電源ケーブル１８は、端子部３０のケーブル挿入口３３に接続されるとともに、筒状部２３とスペーサ部２５との隙間を通って配索される。ここで、ケーブル挿入口３３は、スペーサ部２５に対向する周縁部の一部が切り欠かれている。
【００３７】
これにより、ケーブル挿入口３３の切欠き部分から電源ケーブル１８を引き出して、電源ケーブル１８を筒状部２３とスペーサ部２５との隙間に配索することができるので、電源ケーブル１８を無理に折り曲げる必要が無く、断線を抑えることができる。
【００３８】
フランジ部２１における左右のスペーサ部２５の間には、一対のケーブル規制部５０が設けられている。ケーブル規制部５０は、フランジ部２１に設けられた立設部５１と、立設部５１の先端で折り返されたフック部５２とを有する（図５参照）。そして、フック部５２に電源ケーブル１８を係止することで、電源ケーブル１８がフランジ部２１から離れる方向に移動するのを規制することができる。
【００３９】
図４に示すように、フランジ部２１における光源ユニット１２が装着される面には、ピン端子１３が挿入される長孔状のピン挿入口３４と、解除ピン（図示省略）が挿入される開口部２４とが形成されている。
【００４０】
そして、光源ユニット１２のピン端子１３をピン挿入口３４に挿入して、図４で時計回り方向に光源ユニット１２を回転させる。これにより、左右のピン端子１３を、左右の速結端子４０の接点部４２にそれぞれ電気的に接続することができる。
【００４１】
ここで、図５に示すように、光源ユニット１２の外周面には、嵌合溝１２ａが形成されている。また、フランジ部２１の中央開口２２には、径方向内側に突出する嵌合爪２１ａ（図４参照）が設けられている。そのため、光源ユニット１２をソケット２０に対して回転させたときに、嵌合溝１２ａに嵌合爪２１ａが嵌合され、光源ユニット１２が軸方向に脱落しなくなる。これにより、光源ユニット１２がソケット２０に装着される。
【００４２】
図６に示すように、ソケット２０に装着された光源ユニット１２は、回転支持部材１５を介して器具筐体１１の内部に支持されている。光源ユニット１２及びソケット２０は、回転支持部材１５の保持部材１６によって保持されている。保持部材１６は、回転支持アーム１７の回転軸１７ａを中心に回転可能に支持されている。
【００４３】
ここで、端子部３０における径方向外側の角部には、段差状に窪んだ段差部３０ａが設けられている。そのため、図７に示すように、光源ユニット１２及びソケット２０を器具筐体１１の内部で回転させたときに、端子部３０の段差部３０ａが器具筐体１１に干渉するのを抑えることができる。
【００４４】
これにより、ソケット２０の回転可能な角度範囲が大きくなり、光源ユニット１２の光の照射方向の調整幅を広げることができる。
【００４５】
図８に示すように、端子部３０の内部には、第１空間３５と、第２空間３６とが設けられている。図８では、図４で左側の端子部３０の内部構造を示している。第１空間３５は、ケーブル挿入口３３に連通している。ケーブル挿入口３３は、端子部３０の周壁部３１から径方向外側（図８で左側）に延びている。
【００４６】
第２空間３６は、ピン挿入口３４に連通している。ピン挿入口３４は、ケーブル挿入口３３と交差する方向（図８で下方向）に開口している。第２空間３６は、第１空間３５よりも下方に位置している。
【００４７】
第１空間３５と第２空間３６とは、絶縁壁部３７で仕切られている。絶縁壁部３７は、ピン挿入口３４の周縁部から立設して、ピン端子１３の上方を覆うように水平方向に延びた後で、蓋体３２に向かって上方に延びている。絶縁壁部３７の上端部と蓋体３２の下面との間には、速結端子４０の導電部４３が通る隙間が設けられている。
【００４８】
第１空間３５には、速結端子４０のバネ部４１が収納されている。第２空間３６には、速結端子４０の接点部４２が収納されている。ピン端子１３は、光源ユニット１２の回転に伴って第２空間３６内を移動して、速結端子４０の接点部４２に電気的に接続される。
【００４９】
電源ケーブル１８は、先端の被覆部が剥離されることで素線が露出している。電源ケーブル１８は、ケーブル挿入口３３から差し込まれることで、電源ケーブル１８の素線が速結端子４０のバネ部４１に挟み込まれる。これにより、電源ケーブル１８が速結端子４０のバネ部４１に電気的に接続される。
【００５０】
ここで、速結端子４０のバネ部４１と接点部４２は、導電部４３によって繋がっているので、電源ケーブル１８とピン端子１３とは、速結端子４０を介して電気的に接続される。
【００５１】
このように、電源ケーブル１８を収納する第１空間３５と、ピン端子１３を収納する第２空間３６とを、端子部３０の内部でピン端子１３の軸方向（図８で上下方向）に並べて配置するようにしている。これにより、ソケット２０の径方向の外径を小さくしても、電源ケーブル１８とピン端子１３とがピン端子１３の軸方向に離れて交差するだけなので、互いに接触することがない。そのため、ソケット２０の小型化を図ることができる。
【００５２】
また、第１空間３５と第２空間３６との間に絶縁壁部３７が設けられているので、電源ケーブル１８とピン端子１３との絶縁距離を十分に確保することができる。
【００５３】
端子部３０の図８で左側の周壁部３１には、解除孔３８が形成されている。解除孔３８は、速結端子４０のバネ部４１を臨む位置に開口している。フランジ部２１における端子部３０が設けられた面とは反対側（図８で下側）には、開口部２４が開口している。開口部２４は、解除孔３８に交差する方向に延びて、解除孔３８に連通している。
【００５４】
ここで、電源ケーブル１８を速結端子４０のバネ部４１から取り外す際には、フランジ部２１の開口部２４から解除孔３８に向かって解除ピン（図示省略）を差し込む。
【００５５】
そして、解除ピン（図示省略）の先端部で速結端子４０のバネ部４１を押圧して、バネ部４１を弾性変形させる。これにより、電源ケーブル１８と速結端子４０との係合状態を解除して、電源ケーブル１８をケーブル挿入口３３から引き抜くことができる。
【００５６】
なお、本実施形態に示すような速結端子４０を有するソケット２０として、例えば、ＣＯＢ（Chip on Board）モジュール用のホルダソケットであってもよい。
【産業上の利用可能性】
【００５７】
以上説明したように、本発明は、ソケットの小型化を図りつつ、電源ケーブルとピン端子との絶縁距離を確保することができるという実用性の高い効果が得られることから、きわめて有用で産業上の利用可能性は高い。
【符号の説明】
【００５８】
１０    照明器具
１１    器具筐体
１２    光源ユニット
１３    ピン端子
１５    回転支持部材
１８    電源ケーブル（導電線）
２０    ソケット
２１    フランジ部
２２    中央開口
３０    端子部
３０ａ  段差部
３３    ケーブル挿入口（導電線挿入口）
３４    ピン挿入口
３５    第１空間
３６    第２空間
３７    絶縁壁部
４０    速結端子（導電部材）
【図１】
2020136210.tif 000003
【図２】
2020136210.tif 000004
【図３】
2020136210.tif 000005
【図４】
2020136210.tif 000006
【図５】
2020136210.tif 000007
【図６】
2020136210.tif 000008
【図７】
2020136210.tif 000009
【図８】
2020136210.tif 000010